(57)【要約】【課題】  スピーカを収容するケース及びモジュール全体の大きさを小さくできる発音装置、電気光学装置及びこの電気光学装置を搭載した電子機器を提供すること。【解決手段】  端子部３ｂが発音体ホルダ５ｂの角部に収容されるので、発音体ホルダ５ｂの角部のデッドスペースを有効に活用することができる。このデッドスペースを活用することで発音体ホルダ５ｂ内の収容部２３に空きスペースが形成されるので、その分発音体ホルダ５ｂの大きさを小さくすることができる。これにより、パネルホルダ５ａ、パッケージ５を含めたモジュール全体を小型化することができ、効率的な収容を図ることができる。【選択図】  図２
2005286771.tif 000002
【特許請求の範囲】
【請求項１】
電気光学材料を保持する基板を有する電気光学パネルと、
発音体本体と当該発音体本体から突出し外部に電気的に接続された端子部とを有する発音体と、
前記発音体を収容する、矩形のケースとを具備し、
前記発音体は、前記端子部が前記ケースの角部に位置するように収容されていることを特徴とする電気光学装置。
【請求項２】
前記発音体は、前記電気光学パネルと近接して設けられ、前記ケースに前記電気光学パネルと一体的に収容されていることを特徴とする請求項１に記載の電気光学装置。
【請求項３】
前記ケースは、前記発音体を収容する収容部に内壁を有し、
前記発音体本体及び前記端子部は、外周の少なくとも一部が前記内壁と接するように収容されている
ことを特徴とする請求項１又は請求項２に記載の電気光学装置。
【請求項４】
前記端子部は複数設けられており、当該複数の端子部は前記ケースの少なくとも２つの角部に分けて設けられることを特徴とする請求項１乃至請求項３に記載の電気光学装置。
【請求項５】
前記電気光学パネルに接合され、前記発音体の複数の端子部に電気的に接続される基材を有し、
前記２つの角部は前記基材側に設けられていることを特徴とする請求項４に記載の電気光学装置。
【請求項６】
前記発音体本体から突出するように設けられ、前記ケースに係止させる係止部を更に具備し、
前記係止部が前記ケースの前記端子部が収容された角部以外の角部に位置するように、前記発音体が配置されていることを特徴とする請求項１乃至請求項５のうちいずれか一項に記載の電気光学装置。
【請求項７】
請求項１乃至請求項６のうちいずれか一項に記載の電気光学装置を搭載したことを特徴とする電子機器。
【請求項８】
発音体本体と当該発音体本体から突出し外部に電気的に接続された端子部とを有する発音体と、
前記発音体を収容する、矩形のケースとを具備し、
前記発音体は、前記端子部が前記ケースの角部に位置するように収容されていることを特徴とする発音装置。
【発明の詳細な説明】
【技術分野】
【０００１】
本発明は、スピーカ等の発音体を有する発音装置、電気光学装置及びこの電気光学装置が搭載された電子機器に関する。
【背景技術】
【０００２】
液晶装置等の電気光学装置は、例えば携帯電話やパーソナルコンピュータ等の電子機器の表示部として用いられる。近年、電子機器は多種の機能を有するようになっており、これに伴って必要となる部品点数も多くなっている。このため、必要な部品を電子機器の筐体内に効率的に収容することが求められる。例えば、液晶装置とスピーカとを対向させ、近接して収容することで省スペース化を図った携帯通信端末器が開示されている（例えば、特許文献１参照。）。このようなスピーカは、音を発する本体と、本体と外部とを接続する端子部とを有しており、例えばケース内に収容されている。ケースは、スピーカの大きさに合わせて形成される。
【特許文献１】特開２００２−７７３４６号公報（[０００９]〜[００１３]  図１）
【発明の開示】
【発明が解決しようとする課題】
【０００３】
しかしながら、ケースにスピーカを収容したときの端子部の位置によっては、ケース収容部の角部等がデッドスペースとなってしまい、ケースを含めたモジュール全体が大きくなってしまう。
【０００４】
以上のような事情に鑑み、本発明の目的は、スピーカを収容するケース及びモジュール全体の大きさを小さくできる発音装置、電気光学装置及びこの電気光学装置を搭載した電子機器を提供することにある。
【課題を解決するための手段】
【０００５】
上記目的を達成するために、本発明の主たる観点に係る電気光学装置は、電気光学材料を保持する基板を有する電気光学パネルと、発音体本体と当該発音体本体から突出し外部に電気的に接続された端子部とを有する発音体と、前記発音体を収容する、矩形のケースとを具備し、前記発音体は、前記端子部が前記ケースの角部に位置するように収容されていることを特徴とする。
【０００６】
本発明によれば、端子部がケースの角部に位置するように収容されるので、デッドスペースを有効に活用することができる。このデッドスペースに端子部を収容することによりスペースが空くので、空いたスペースの分、ケースの大きさを小さくすることができる。これにより、ケースはもとよりモジュール自体の小型化も可能となり、効率的な収容を図ることができる。
【０００７】
本発明の一の形態によれば、前記発音体は、前記電気光学パネルと近接して設けられ、前記ケースに前記電気光学パネルと一体的に収容されていることを特徴とする。ケースに電気光学パネルと発音体とを近接させるように一体的に形成する場合、発音体が音を発するときの振動が電気光学パネルの表示特性に影響を及ぼさないように予め位置を調節したり支持体を配置させたりしておくことができる。例えば電子機器に搭載する際にこのような調節等をしなくても済むため、製造に要する手間と時間とを省くことができる。さらに、ケースに一体的に形成することで、別々に形成する場合よりも発音体が収容されたケースを小さくすることもできるし、例えば電子機器等に容易に収容することもできる。
【０００８】
本発明の一の形態によれば、前記ケースは、前記発音体を収容する収容部に内壁を有し、前記発音体本体及び前記端子部は、外周の少なくとも一部が前記内壁と接するように収容されていることを特徴とする。発音体本体の外周とケースの内壁との間もデッドスペースとなるため、かかるデッドスペースに端子部を配置することで、デッドスペースを有効に活用することができ、ケースの大きさを小さくすることができる。ここで、内壁を例えば矩形に形成して発音体の外周と点で接するようにしても良い。この場合、発音体と内壁との接点を設けることで、例えば振動等により発音体が移動するのを抑えることができる。また、発音体の外周の輪郭と同一形状にケースを刳り貫くように内壁を形成しても良い。この場合、内壁が発音体の本体及び端子部を含む外周全体に接することとなるので、振動等による発音体の移動をより確実に抑えることができる。
【０００９】
本発明の一の形態によれば、前記端子部は複数設けられており、当該複数の端子部は前記ケースの少なくとも２つの角部に分けて設けられることを特徴とする。端子部を２つに分けて設けることにより、端子部一つあたりの大きさを小さくすることができるので、それぞれの角部に占めるスペースを抑えることができる。これにより、ケースの大きさをより小さくすることができ、モジュールを小型化することができる。
【００１０】
本発明の一の形態によれば、前記電気光学パネルに接合され、前記発音体の複数の端子部に電気的に接続される基材を有し、前記２つの角部は前記基材側に設けられていることを特徴とする。２つの角部を基材側に設けることで、基材と端子部との距離を短くすることができるので、基材の長さを短くすることができる。これにより、モジュールを小型化することができ、さらに基材の製造コストを抑えることも可能となる。
【００１１】
本発明の一の形態によれば、前記発音体本体から突出するように設けられ、前記ケースに係止させる係止部を更に具備し、前記係止部が前記ケースの前記端子部が収容された角部以外の角部に位置するように、前記発音体が配置されていることを特徴とする。これにより、発音体がケース内で回転することを抑制することができるので、発音体の回転に伴って端子部が動いてしまうようなことも無く、接続の安定を確保することができる。なお、係止部は、ケースの端子部が収容された角部と対向する角部に設けられても良いし、その他の角部に設けられても良い。
【００１２】
本発明の別の観点に係る電子機器は、上記の電気光学装置を搭載したことを特徴とする。
【００１３】
本発明によれば、電気光学装置のモジュール自体が小型化されるので、必要な部品を効率よく収容することができる電子機器を得ることができる。
【００１４】
本発明の別の観点に係る発音装置は、発音体本体と当該発音体本体から突出し外部に電気的に接続された端子部とを有する発音体と、前記発音体を収容する、矩形のケースとを具備し、前記発音体は、前記端子部が前記ケースの角部に位置するように収容されていることを特徴とする。
【００１５】
本発明によれば、端子部がケースの角部に位置するように収容されるので、デッドスペースを有効に活用することができる。これにより、デッドスペースに端子部を収容することでスペースが空くため、空いたスペースの分、発音装置のケースの大きさを小さくすることができる。又、発音体と電気光学パネルとを一体的に一つのケースに収容できない場合であっても、発音装置を備えた電子機器の省スペース化を図ることができる。
【発明を実施するための最良の形態】
【００１６】
以下、本発明の第１の実施形態を図面に基づき説明する。以下の各実施形態においては電気光学装置として、発音体付液晶装置１を例に挙げて説明する。
【００１７】
図１は、本実施形態に係る発音体付液晶装置１の分解斜視図である。図２は、この発音体付液晶装置１を組み立てたときの概略平面図である。
【００１８】
発音体付液晶装置１は、液晶パネル２、発音体３、フレキシブル基板４を有し、例えばパッケージ５に一体的に収容される。必要に応じてバックライト９等の照明装置やその他の付帯機器（図示省略）が付設される。ここで、発音体付液晶装置１に用いられる液晶装置としては、ＴＦＴ（Ｔｈｉｎ  Ｆｉｌｍ  Ｔｒａｎｓｉｓｔｏｒ）アクティブマトリクス型、パッシブマトリクス型、ＴＦＤ（Ｔｈｉｎ  Ｆｉｌｍ  Ｄｉｏｄｅ）アクティブマトリクス型の液晶装置などのいずれであってもよく、更に本発明は液晶装置に限らず、例えば無機あるいは有機のエレクトロルミネッセンス装置、プラズマディスプレイ装置、電気泳動ディスプレイ装置、電子放出素子を用いた装置等、他の電気光学装置にも適用可能である。以下、発音体付液晶装置１に用いられる液晶装置として、ＴＦＴアクティブマトリクス型を例に挙げて説明する。
【００１９】
液晶パネル２は、基板６及び７を有し、バックライト９等とともにパネルホルダ５ａに収容される。基板６及び基板７は、例えばガラスや合成樹脂といった透光性を有する材料からなる板状部材であり、シール材８を介して対向するように貼り合わされる。基板６の内側（液晶側）表面には、Ｘ方向にゲート電極、Ｙ方向にソース電極が形成され、画素ごとに画素電極が形成される（図示省略）。ゲート電極及びソース電極は、例えばＩＴＯ（Ｉｎｄｉｕｍ  Ｔｉｎ  Ｏｘｉｄｅ：インジウムスズ酸化物）などの透明導電材料によって形成される。各画素には、ゲート電極、ソース電極及び画素電極に３端子のそれぞれが接続されたトランジスタが設けられる（図示省略）。基板６及び基板７の間隙には、液晶が封止される。基板６は、基板７の外周縁から張り出した領域（以下、「張り出し部」と表記する）６ａを有する。張り出し部６ａの面上には、ゲート電極、ソース電極から引き廻された配線が接続される端子群６ｂが形成される。
【００２０】
発音体３は、発音体本体３ａ、端子部３ｂを有し、例えば４点Ｊ、Ｋ、Ｌ、Ｍで発音体ホルダ５ｂに接するように収容される。発音体本体３ａの内部には圧電振動子（図示省略）が設けられる。端子部３ｂは、発音体ホルダ５ｂの角部に収容される。つまり、図２に示すように、液晶パネル２に対して発音体３全体が傾いて収容される。この端子部３ｂには、発音体本体３ａ内部の圧電振動子と電気的に接続された２本の端子を有する端子群３ｃが形成される。
【００２１】
フレキシブル基板４は、例えばポリイミド等の樹脂で形成され、液晶パネル２及び発音体３とそれぞれ接合される。
【００２２】
このフレキシブル基板４は、液晶パネル２に接合される本体部分４ａと、発音体３に接合される分岐部分４ｂと、例えば外部機器やドライバ等と接続されるコネクタ部分４ｃとを有する。分岐部分４ｂは、本体部分４ａを迂回するように形成され、コネクタ部分４ｃは、本体部分４ａから例えば凸状に張り出すように形成される。本体部分４ａは接合部１０、端子群１１、配線１２、１３、液晶パネル２の駆動用ドライバ１４を有し、分岐部分４ｂは接合部１５、端子群１６、配線１７を有し、コネクタ部分４ｃはコネクタ端子１８及び１９（コネクタ端子群）を有する。
【００２３】
接合部１０は、液晶パネル２の張り出し部６ａと接合される。接合面には端子群１１が形成される。端子群１１の各端子は、例えば異方性導電膜（ＡＣＦ：Ａｎｉｓｏｔｒｏｐｉｃ  Ｃｏｎｄｕｃｔｉｖｅ  Ｆｉｌｍ）の樹脂に含まれる導電粒子等を介して端子群６ｂの各端子とそれぞれ電気的に接続される。配線１２は、端子群１１と駆動用ドライバ１４とを接続する。配線１３は、駆動用ドライバ１４とコネクタ端子１８とを接続する。配線１２及び配線１３には、駆動用ドライバ１４と接続する部分に、接続用端子（図示省略）が形成される。駆動用ドライバ１４は、例えばＡＣＦを介してフレキシブル基板４上に実装される。駆動用ドライバ１４には、フレキシブル基板４と対向する面に例えばバンプ電極群が設けられ、各バンプ電極と配線１２及び１３の接続用端子とが例えばＡＣＦに含まれる導電粒子を介して電気的に接続されるようになっている。
【００２４】
一方、接合部１５は、発音体３の端子部３ｂと接合される。接合面には端子群１６が形成される。端子群１６の各端子は、接合部１０と同様に、例えばＡＣＦに含まれる導電粒子等を介して端子群３ｃの各端子と電気的に接続される。配線１７は、分岐部分４ｂに沿って形成され、端子群１６の各端子とコネクタ端子１９とを接続する。
【００２５】
コネクタ端子１８及び１９は、コネクタ部分４ｃに例えば等ピッチで配列される。液晶パネル２及び発音体３は、当該コネクタ端子１８及び１９を介して、外部機器やドライバ等と接続されるようになっている。このコネクタ部分４ｃにより、液晶パネル２及び発音体３を纏めて外部に接続できるようになっている。
【００２６】
また、パネルホルダ５ａは、液晶パネル２等を収容する収容部２０、フレキシブル基板４の本体部分４ａを保持するための凹部２１、パッケージ筐体５ｃに固定するための凸部２２を有する。発音体ホルダ５ｂは、発音体３を収容する収容部２３、フレキシブル基板４の分岐部分４ｂを保持するための凹部２４、パッケージ筐体５ｃに固定するための凸部２５を有する。収容部２３の内壁２３ａは、上述したように発音体３を収容する際に当該発音体３の外周と例えば４点Ｊ、Ｋ、Ｌ、Ｍで点接触するように矩形に形成しても良いし、４点Ｊ、Ｋ、Ｌ、Ｍのうちのいずれか１点以上と接するように形成しても良い。発音体３と内壁２３ａとの接点を設けることで、例えば振動等により発音体３が移動するのを抑えることができる。また、当該発音体３の輪郭と同一形状にケースを刳り貫くように形成しても良い。内壁２３ａを発音体３の輪郭と同一形状に形成した場合には、発音体本体３ａ及び端子部３ｂを含む発音体３の外周全体が内壁２３ａに接することとなり、振動等による発音体３の移動をより確実に抑えることができる。なお、凹部２４は、端子部３ｂの位置に対応するように、パネルホルダ５ａの角に形成される。パッケージ筐体５ｃは、液晶パネル２の表示部分と対応するように形成された窓部２６、パネルホルダ５ａの凸部２２と嵌合させる孔２７、発音体ホルダ５ｂの凸部２５と嵌合させる孔２８を有する。
【００２７】
パネルホルダ５ａと発音体３との間には、発音体３が音を発する際の振動を緩和するために例えば支持体３ｄを介挿しても良い。同様に、発音体ホルダ５ｂの収容部２３には、例えば中心部に孔を有する支持体３ｅを設置しても良い。また、パネルホルダ５ｂには、支持体３ｅの中心部の孔と連通するように放音孔を設けるようにしてもよい。
【００２８】
本実施形態によれば、端子部３ｂが発音体ホルダ５ｂの角部に収容されるので、発音体ホルダ５ｂの角部のデッドスペースを有効に活用することができる。図３に示すように、端子部３ｂを角部に収容した場合（図３（ａ））には、発音体ホルダ５ｂの一辺の中央付近に収容した場合（図３（ｂ））と比べて、発音体ホルダ５ｂの収容部２３のＸ方向の長さをｔだけ短くすることができる。このように、デッドスペースを活用することで発音体ホルダ５ｂ内の収容部２３に空きスペースが形成され、その分発音体ホルダ５ｂの大きさを小さくすることができる。これにより、パネルホルダ５ａ、パッケージ５を含めたモジュール全体を小型化することができ、効率的な収容を図ることができる。
【００２９】
次に、本発明の第２の実施形態を説明する。第１の実施形態とは発音体３の構成が異なるので、その点を中心に説明する。第１の実施形態の構成要素と共通する構成要素については、第１の実施形態の構成要素と同一の符号を付しその説明を省略する。
【００３０】
図４は、本実施形態に係る発音体付液晶装置２０１の平面図である。
【００３１】
発音体３は、発音体本体３ａ、端子部３ｂ、３ｃを有する。端子部３ｂ及び３ｃは、発音体ホルダ５ｂの例えば２つの角部に位置するように分けて設けられる。この端子部３ｂ及び３ｃには、発音体本体３ａ内部の圧電振動子と電気的に接続された端子３ｄ、３ｅがそれぞれ形成される。
【００３２】
フレキシブル基板４は、液晶パネル２に接合される本体部分４ａと、発音体３に接合される分岐部分４ｂ及び４ｃと、例えば外部機器やドライバ等と接続されるコネクタ部分４ｄとを有する。分岐部分４ｂ及び４ｃは、本体部分４ａを迂回するように形成され、分岐部分４ｂは端子部３ｂと、分岐部分４ｃは端子部３ｃとそれぞれ接続される。コネクタ部分４ｄは、本体部分４ａから例えば凸状に張り出すように形成される。
【００３３】
分岐部分４ｂは接合部１５ａ、端子１６ａ、配線１７ａを有し、分岐部分４ｃは、接合部１５ｂ、端子１６ｂ、配線１７ｂを有し、コネクタ部分４ｄはコネクタ端子１８及び１９を有する。
【００３４】
接合部１５ａは、発音体３の端子部３ｂと接合される。端子１６ａは、例えばＡＣＦに含まれる導電粒子等を介して端子３ｄと電気的に接続される。配線１７ａは、分岐部分４ｂに沿って形成され、端子群１６ａとコネクタ端子１９ａとを接続する。また、接合部１５ｂは、発音体３の端子部３ｃと接合される。端子１６ｂは、端子１６ａと同様に例えばＡＣＦに含まれる導電粒子等を介して端子３ｅと電気的に接続される。配線１７ｂは、分岐部分４ｃに沿って形成され、端子群１６ｂとコネクタ端子１９ｂとを接続する。
【００３５】
コネクタ端子１９は、端子部３ｂ及び３ｃの位置と対応するように、例えばコネクタ端子群の両端にそれぞれ設けられており（１９ａ、１９ｂ）、配線１７ａ及び１７ｂの長さを最小限に抑えている。
【００３６】
本実施形態では、端子部を３ｂ及び３ｃの２つに分けているので、端子部一つあたりの大きさを小さくすることができ、それぞれの角部に占める端子部３ｂ及び３ｃのスペースを抑えることができる。これにより、ケースの大きさをより小さくすることができ、モジュールを小型化することができる。
【００３７】
次に、本発明の第３の実施形態を説明する。第１の実施形態とは発音体３の構成が異なるので、その点を中心に説明する。第１の実施形態の構成要素と共通する構成要素については、第１の実施形態の構成要素と同一の符号を付しその説明を省略する。
【００３８】
図５は、本実施形態に係る発音体付液晶装置３０１の平面図である。
【００３９】
発音体３は、発音体ホルダ５ｂの収容部２３に収容され、発音体本体３ａ、端子部３ｂ及び係止部３ｆを有する。係止部３ｆは、発音体本体３ａの外周に凸状に設けられ、発音体ホルダ５ｂの収容部２３の内壁２３ａに係止することができるようになっている。係止部３ｆは、図５のように端子部３ｂと対向する角部に設けるようにしても良いし、破線で示すように他の角部に設けるようにしても良い。
【００４０】
本実施形態のように、発音体本体３ａの外周に設けられ、内壁２３ａに係止させる係止部３ｆを発音体ホルダ５ｂの角部に設けたので、係止部３ｆが内壁２３ａに係止した状態では、端子部３ｂと係止部３ｆとの両者で発音体３を内壁２３ａに固定することができる。これにより、発音体３が例えば振動や衝撃などにより回転移動するのを抑えることができるので、発音体３の回転に伴って端子部３ｂが動いてしまうようなことも無く、例えばフレキシブル基板４との接続の安定を確保することができる。
【００４１】
次に、本発明の第４の実施形態に係る電子機器について説明する。
【００４２】
図６は本実施形態に係る電子機器の表示制御系の全体構成を示す概略構成図である。
【００４３】
電子機器３００は、表示制御系として例えば液晶パネル２及び表示制御回路３９０などを備え、その表示制御回路３９０は表示情報出力源３９１、表示情報処理回路３９２、電源回路３９３及びタイミングジェネレータ３９４などを有する。
【００４４】
また、液晶パネル２には表示領域Ｇを駆動する駆動回路３６１が接続される。
【００４５】
表示情報出力源３９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源３９１は、タイミングジェネレータ３９４によって生成された各種のクロック信号に基づいて、所定フォーマットの画像信号などの形で表示情報を表示情報処理回路３９２に供給するように構成されている。
【００４６】
また、表示情報処理回路３９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路３６１へ供給する。駆動回路３６１は、走査線駆動回路、データ線駆動回路及び検査回路を含む。また、電源回路３９３は、上述した各構成要素に夫々所定の電圧を供給する。
【００４７】
このような電子機器にあっては、必要な部品を効率よく収容することが求められている。この電子機器に搭載する発音体付液晶装置１については、端子部３ｂが発音体ホルダ５ｂの角部に収容されるので、発音体ホルダ５ｂの角部のデッドスペースを有効に活用することができる。デッドスペースを活用することで発音体ホルダ５ｂ内の収容部２３に空きスペースが形成されるので、空きスペースの分発音体ホルダ５ｂの大きさを小さくすることができる。これにより、パネルホルダ５ａ、パッケージ５を含めたモジュール全体を小型化することができ、効率的な収容を図ることができる。したがって、本発明の意義は大きいといえる。
【００４８】
また、液晶パネル２と発音体３とを一体的に形成した場合、発音体３が音を発するときの振動が液晶パネル２の表示特性に影響を及ぼさないように予め位置を調節したり支持体３ｄ、３ｅを配置させたりしておくことができる。例えば発音体付液晶装置１を電子機器に搭載する際にこのような調節等をしなくても済むため、製造に要する手間と時間とを省くことができる。さらに、一体的に形成することで、例えば電子機器に収容しやすくなるという利点もある。
【００４９】
具体的な電子機器としては、上述の携帯電話機の他、例えばパーソナルコンピュータや液晶装置が搭載されたタッチパネル、液晶テレビやビューファインダ型、モニタ直視型のビデオテープレコーダ、カーナビゲーション、ページャ、ワードプロセッサ、ワークステーション、テレビ電話、ＰＯＳ端末、ＩＣレコーダー、液晶付リモコン、時計等が挙げられる。これらの各種電子機器の表示部として、発音体付液晶装置１、２０１、３０１が適用可能なのは言うまでもない。
【００５０】
本発明は、以上説明した実施形態には限定されるものではなく、種々の変形が可能である。
【００５１】
また、上記実施形態では、液晶パネル２と発音体３とを一つのパッケージ５に一体的に収容する発音体付液晶パネル１の構成について説明してきたが、発音体３を単独でパッケージに収容する発音装置の構成としても本発明の適用が可能である。この場合、端子部３ｂが前記ケースの角部に位置するように収容される構成となる。これにより、端子部３ｂがケースの角部に位置するように収容されるので、デッドスペースを有効に活用することができる。このデッドスペースに端子部３ｂを収容することによりスペースが空くので、空いたスペースの分、ケースの大きさを小さくすることができる。又、発音体３と液晶パネル２とを一体的に一つのケースに収容することができない場合であっても、発音装置を備えた電子機器の省スペース化を図ることができる。
【図面の簡単な説明】
【００５２】
【図１】本発明の第１実施形態に係る発音体付液晶装置を示す分解斜視図である。
【図２】本実施形態に係る発音体付液晶装置を示す平面図である。
【図３】本実施形態の発音体付液晶装置を従来と比較して示す平面図である。
【図４】本発明の第２実施形態に係る発音体付液晶装置を示す平面図である。
【図５】本発明の第３実施形態に係る発音体付液晶装置を示す平面図である。
【図６】本発明の第４の実施形態に係る電子機器の構成を示すブロック図である。
【符号の説明】
【００５３】
１、２０１、３０１…発音体付液晶装置  ２…液晶パネル  ３…発音体  ３ａ…発音体本体  ３ｂ…端子部  ４…フレキシブル基板  ３００…電子機器
【図１】
2005286771.tif 000003
【図２】
2005286771.tif 000004
【図３】
2005286771.tif 000005
【図４】
2005286771.tif 000006
【図５】
2005286771.tif 000007
【図６】
2005286771.tif 000008